(57)【要約】【課題】簡単な操作で冷房運転と除湿運転を明確にする、複数の空気吹き出し開口を持った一体型空気調和機の提供。【解決手段】熱サイクルを収納した一体型空気調和機１０であって、本体筐体１１と、本体筐体内に配置され、内部に複数の通風路を形成する内部ケーシング７と、前記内部ケーシング内の複数の通風路に風を発生する室内ファン１と、本体の正面に、その略中央軸上に設けられた空気の吸い込み開口１３と、本体の正面に、その両側に設けられ、実質的に同一の寸法の複数の空気吹き出し開口１４ａ、ｂと、そして、実質的に同一の寸法の複数の空気吹き出し開口の隣に、開閉式空気吸い込み開口２３０ａ、ｂと、風向変更板２４０を備え、室内ファン１は中央軸Ｃからずれて配置され、内部ケーシング７内の通風路を左右非対称に形成し、両側の空気吹き出し開口における風量をほぼ同一にする。【選択図】　図８
2004108710.tif 000002
【特許請求の範囲】
【請求項１】
熱サイクルを内部に収納した一体型空気調和機であって、本体と、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気吸込み開口と、前記本体の正面に、その両側に設けられ、実質的に同一の寸法の複数の空気吹き出し開口とを備え、前記室内ファンは前記中央軸からずれて配置され、前記内部ケーシング内の通風路を非対称に形成し、もって、空気吹き出し開口における風量をほぼ同一にし、前記空気吹き出し開口近傍に開閉式空気吸い込み開口を形成し、かつ前記空気吹き出し開口に設けられた風向変更板をもち、前記空気吹き出し開口より吹き出された空調された空気を、前記風向変更板を操作して、直接戻って再び吸込ませる、ショートサーキットさせることを特徴とする一体型空気調和機。
【請求項２】
前記請求項１に記載した一体型空気調和機において、複数の空気吹き出し開口における風速が５．１：４．９〜６：４の比率の範囲内にすることを特徴とする一体型空気調和機。
【請求項３】
前記請求項１に記載した一体型空気調和機において、空気調和機の高さを１とした場合、空気調和機の幅を１〜２、室内ファンの径を０．５〜０．８にすることを特徴とする一体型空気調和機。
【請求項４】
前記請求項１に記載した一体型空気調和機において、室内ファンの径を１とした場合、前記内部ケーシングと前記室内ファンとの間の一方の最狭距離を０．０５〜０．２にし、他方、前記内部ケーシングと前記室内ファンとの間の他方の最狭距離を０．１〜０．３とすることを特徴とする一体型空気調和機。
【請求項５】
前記請求項１に記載した一体型空気調和機において、前記内部ケーシングは３個の部分から構成されていることを特徴とする一体型空気調和機。
【請求項６】
熱サイクルを内部に収納した一体型空気調和機であって、本体と、本体内に配置され、室内側と室外側とを仕切る仕切り板、本体の室外側に設けられた室外側熱交換器、本体の室外側に設けられ、室外側熱交換器の近傍に設けられた室外側ファン、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気吸い込み開口と、前記本体の正面に、その両側に設けられ、実質的に同一の寸法の複数の空気吹き出し開口と開閉式空気吸い込み開口とを備え、さらに、前記本体の室外側から前記仕切板を越えて室内側に伸び、少なくとも前記室外側熱交換器と前記室外側ファンの一方と、前記内部ケーシングとに接続された支え板を設けたことを特徴とする一体型空気調和機。
【請求項７】
前記請求項６に記載した一体型空気調和機において、前記支え板は前記本体の上部で、かつ、前記本体の一方側に片寄って配置されていることを特徴とする一体型空気調和機。
【請求項８】
前記請求項７に記載した一体型空気調和機において、さらに、前記熱サイクルの圧縮機が前記本体の一方側に片寄って配置されており、前記支え板は、前記圧縮機が片寄って配置されている一方側に片寄って配置されていることを特徴とする一体型空気調和機。
【請求項９】
熱サイクルを内部に収納した一体型空気調和機であって、本体と、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気吸い込み開口と、前記本体の正面に、その両側に設けられ、実質的に同一の寸法の複数の空気吹き出し開口と開閉式空気吸い込み開口とを備え、前記本体の正面には、湾曲面を有するカバーが取り付けられていることを特徴とする一体型空気調和機。
【請求項１０】
前記請求項９に記載した一体型空気調和機において、前記カバーの湾曲面は円弧状であることを特徴とする一体型空気調和機。
【請求項１１】
前記請求項９に記載した一体型空気調和機において、前記カバーは湾曲面に合った円弧状にフィルターを有することを特徴とする一体型空気調和機。
【発明の詳細な説明】
【０００１】
【発明の属する技術分野】
本発明は、熱サイクルを構成する室内ユニット及び室外ユニットを一個のケーシング又は筐体内に取り付けた空気調和機に関し、特に、空調した空気を少なくとも二個以上の開口部から室内に吹き出す一体型空気調和機で、除湿運転機能を有する空気調和機に関する。
【０００２】
【従来の技術】
従来、熱サイクルを構成する室内ユニット及び室外ユニットを一個のケーシング又は筐体内に取り付けて一体型とし、例えば窓枠に固定して取り付ける空気調和機は既に知られている。
【０００３】
例えば、特許文献１に示すように、空気調和機の除湿運転は、一般に、マイコンによって制御されているが、一体型空気調和機は、低コストを目的として、マイコンを使用せず定速運転される圧縮機のＯＮ／ＯＦＦのみを行いながら冷房運転を行い、除湿を行うものや、ヒーター等の熱源体を取り付けて冷房を行ったあと空調した空気を温めるようにしたものが既に知られている。
【０００４】
【特許文献１】
特開２０００−１８６８４６号公報
【０００５】
【発明が解決しようとする課題】
しかしながら、かかる一体型空気調和機においては、コストが上がったり、除湿運転時に必要以上に室温が低下して冷房感を感じさせるという問題点を生じていた。
【０００６】
そこで、本発明の目的は、かかる上記の問題点を解消し、低コストで、冷房感を感じさせない除湿運転が可能となる一体型空気調和機を提供することにある。
【０００７】
【課題を解決するための手段】
本発明は上記の課題を解決するためになされたものであり、まず、熱サイクルを内部に収納した一体型空気調和機であって、本体と、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気吸い込み開口と、前記本体の正面に、その両側に設けられ、実質的に同一の寸法の複数の空気吹き出し開口と、前記本体の正面に、その実質的に同一の寸法の複数の空気吹き出し開口の隣に、開閉式空気吸い込み開口と、空気吹き出し開口に設けられた風向変更板を備え、前記室内ファンは前記中央軸からずれて配置され、前記内部ケーシング内の通風路を左右非対称に形成し、もって、複数の空気吹き出し開口における風量をほぼ同一にする一体型空気調和機で、除湿運転時、風向変更板と開閉式空気吸い込み開口を操作して、空気吹き出し開口より吹き出させる空気が、直接戻って再び吸込ませる、ショートサーキットを形成することにより提供される。
【０００８】
また、本発明によれば、前記に記載した一体型空気調和機において、複数の空気吹き出し開口における風速が５．１：４．９〜６：４の比率の範囲内にする。
【０００９】
さらに、本発明によれば、前記に記載した一体型空気調和機において、空気調和機の高さを１とした場合、空気調和機の高さを１〜２、室内ファンの径を０．５〜０．８にする。
【００１０】
さらに、本発明によれば、前記に記載した一体型空気調和機において、室内ファンの径を１とした場合、前記内部ケーシングと前記室内ファンとの間の一方の最狭距離を０．０５〜０．２にし、他方、前記内部ケーシングと前記室内ファンとの間の他方の最狭距離を０．１〜０．３とする。
【００１１】
さらに、本発明によれば、前記に記載した一体型空気調和機において、前記内部ケーシングは３個の部分から構成されている。
【００１２】
また、本発明によれば、やはり、上記の目的を達成するため、熱サイクルを内部に収納した一体型空気調和機であって、本体と、本体内に配置され、室内側と室外側とを仕切る仕切り板、本体の室外側に設けられた室外側熱交換器、本体の室外側に設けられ、室外側熱交換器の近傍に設けられた室外側ファン、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気空気吸い込み開口と、前記本体の正面に、その両側に設けられ、実質的に同一の寸法の複数の空気吹き出し開口と；前記本体の正面に、実質的に同一の寸法の複数の空気吹き出し開口の隣に、開閉式空気吸い込み開口とを備え、さらに、前記本体の室外側から前記仕切り板を越えて室内側に伸び、少なくとも前記室外側熱交換器と前記室外側ファンの一方と、前記内部ケーシングとに接続された支え板を設けた一体型空気調和機が提供される。
【００１３】
また、本発明によれば、前記に記載した一体型空気調和機において、前記支え板は前記本体の上部で、かつ、前記本体の一方側に片寄って配置されている。
【００１４】
さらに、本発明によれば、前記に記載した一体型空気調和機において、さらに、前記熱サイクルの圧縮機が前記本体の一方側に片寄って配置されており、前記支え板は、前記圧縮機が片寄って配置されている一方側に片寄って配置されている。
【００１５】
加えて、本発明によれば、やはり上記の目的を達成するため、熱サイクルを内部に収納した一体型空気調和機であって、本体と、前記本体内に配置され、その内部に複数の通風路を形成する内部ケーシングと、前記本体内において、前記内部ケーシング内の複数の通風路に風を発生する室内ファンと、前記本体の正面に、その略中央軸上に設けられた空気吸い込み開口と、前記本体の正面に、その両側に設けられ、実質的に同一の寸法の複数の空気吹き出し開口と、前記本体の正面に、実質的に同一の寸法の複数の空気吹き出し開口の隣に、開閉式空気吸い込み開口とを備え、前記本体の正面には、湾曲面を有するカバーが取り付けられている一体型空気調和機が提供されている。
【００１６】
また、本発明では、前記に記載した一体型空気調和機において、前記カバーの湾曲面は円弧状である。
【００１７】
そして、本発明によれば、前記に記載した、一体型空気調和機において、前記カバーはフィルターを有する。
【００１８】
【発明の実施の形態】
以下、本発明の実施の形態の一例について、添付の図面を参照しながら詳細に説明する。
【００１９】
まず、本発明の実施の形態を、図１〜図４を参照しながら説明する。本発明の実施の形態になる一体型の空気調和機を示す図１を参照し、空調機１０は、ケーシング又は本体筐体１１の内部（又は、空調機の本体）に配置された室内ファン１と、上記室内ファン１の前面に配置された室内熱交換器４と、その内部に左右への複数の吹き出し又は風路を形成した内部ケーシング７を備えている。室内ファン１は、仕切り板９の後方に設けられたファンモータ３に連結されており、このファンモータ３は、さらに、室外ファン２に接続され、もって、これらを回転駆動している。加えて、熱サイクルの完成のため、室内熱交換器４に加えて、さらに、圧縮機６と室外熱交換器５とが、この圧縮機６を他の２つの中央部に、すなわち、室内熱交換器４と室外熱交換器５との間に配置されている。また、これらの間には、サイクル用の配管８が循環して連結されている。空調機１０は、上記仕切り板９によって室内側（図の下側）と室外側（図の上側）とに分割されている。
【００２０】
図１から明らかなように、圧縮機６が筐体１１（すなわち、空調機の本体）内に位置又は場所を占めていることから、室内ファン１を筐体１１内に対称に、すなわち、中心軸（図中に、一点鎖線Ｃで示す）上に又はこれに沿って配置すること、特に、室内ファン１とその周辺の部品（すなわち、圧縮機６とサイクルは遺憾８）とを十分な距離を保持しながら配置することは難しく、そのため、この室内ファン１は、空調機をコンパクト化するために、特に、その筐体１１を小型化するために、中心軸Ｃからずらして配置されている。
【００２１】
次に、上記に説明した空調機の構造による動作を以下に説明する。空調機１０の室内側では、室内ファン１の前面に配置された熱交換器４を通して室内から吸入された空気は内部ケーシング７で複数の流れに分割される。すなわち、空気は、室内熱交換器４を通過した際にその温度が調整又は冷却された後、それらは分割されて、両側に配置された空気の吐出開口部、すなわち、空調機１０、特にその筐体１１の正面の左側及び右側から、再び、室内に吹き戻される。
【００２２】
一方、表面カバー２００は、空気吸い込みグリル２１０と、その両側の複数の、すなわち、上記空気吸い込みグリル２１０の左側と右側との空気吹き出しグリル２２０とにより形成されている。上記空気吹き出しグリル２２０の深さＨ２と、上記空気吸い込みグリル２１０の深さＨ１との間には、前者が後者よりも大きい、すなわち、Ｈ１＞Ｈ２という関係が成立している。さらに、空気吸い込みグリル２１０は、円弧状に湾曲した、換言すれば、深さを両側の深さＨ２から徐々に表面カバー２００中央部（Ｈ１）に向かって増大する表面を備えている。
【００２３】
上記空気吹き出しグリル２２０の深さＨ２は、空気吸い込みグリル２１０の深さＨ１よりも低くなるように設計されており、そのため、空気吹き出しグリル２２０から送り出された空気（すなわち、冷却又は暖房された空気）が空気吸い込みグリル２１０へ直接戻って再び吸い込まれてしまう、ショートサーキットと呼ばれる現象が生じ難い。それ故、室内空気の空調機能を、空調能力である空気の冷房又は暖房能力を低下させることなく実行することが出来る構造となっている。
【００２４】
この構造において、表面カバー２００の空気吸い込みグリル２１０の深さＨ１と、その両側の複数の、すなわち、上記空気吸い込みグリル２１０の左側と右側との空気吹き出しグリル２２０の深さＨ２との間に、開閉式の空気吸い込みグリル２３０を形成する。
【００２５】
上記に述べた構造によれば、冷房運転時又は暖房運転時に、表面カバー２００の上記空気吸い込みグリル２３０を閉じておけば、上記空気吹き出しグリル２２０の深さＨ２は、空気吸い込みグリル２１０の深さＨ１よりも低くなるように設計されているため、「ショートサーキット」と呼ばれる現象が生じ難く、それ故、室内空気の空調機能を、空調能力である空気の冷房又は暖房能力を低下させることなく実行することが出来、除湿運転時には、表面カバー２００の上記空気吸い込みグリル２３０を開け、空気吹き出しグリルに設けられた風向変更板２４０を操作して角度Ｒ＞０°操作しておけば、上記空気吹き出しグリル２２０の深さＨ２は、上記空気吸い込みグリル２３０の深さＨ３とほぼ同じ深さになる、ため、前者と後者がほぼ等しい、すなわち、Ｈ２＝Ｈ３という関係が成立している。また、空気吹き出しグリルに設けられた風向変更板２４０の角度Ｒ＞０°が形成されているので、空気吹き出しグリル２２０から送り出された空気（すなわち、冷却された空気）が空気吸い込みグリル２３０へ直接戻って再び吸い込まれてしまう、「ショートサーキット」と呼ばれる現象が生じ易い。それ故、除湿運転時の冷房感を抑えることができ、十分な除湿運転を低コストにて行うことが出来る。
【００２６】
【発明の効果】
以上の詳細な説明からも明らかなように、本発明によれば、冷房時と除湿時の相違を明確にすることができるので、冷房時での快適な冷房感が得られるとともに、除湿時では冷房感を抑えることができる。また、より低コスト化が可能となるという優れた効果が得られる。
【図面の簡単な説明】
【図１】本発明の実施例になる一体型の空気調和機の断面図である。
【図２】上記実施例の一体型の空気調和機の外観斜視図である。
【図３】実施例の室内ケーシングの分割図（斜視図）である。
【図４】実施例の一体型の空気調和機とその変形例を示す図（正面図）である。
【図５】実施例の一体型の空気調和機と変形例における寸法を示す正面図である。
【図６】実施例になる一体型の空気調和機の内部構造を示す斜視図である。
【図７】実施例の一体型の空気調和機の、特に通風路における寸法を示す正面図である。
【図８】実施例になる一体型の空気調和機の外観を示す斜視図である。
【図９】実施例になる一体型の空気調和機の、特に通風路における風向変更板の角度を示す断面図である。
【符号の説明】
１…室内ファン、２…室外ファン、３…ファンモータ、４…室内熱交換器、５…室外熱交換器、６…圧縮機、７…内部ケーシング、８…配管、９…仕切り板、１０…空調機、１１…ケーシング（本体筐体）、１３…吸い込み開口、１４ａ、１４ｂ…吹き出し開口、Ｃ…中央軸。
【図１】
2004108710.tif 000003
【図２】
2004108710.tif 000004
【図３】
2004108710.tif 000005
【図４】
2004108710.tif 000006
【図５】
2004108710.tif 000007
【図６】
2004108710.tif 000008
【図７】
2004108710.tif 000009
【図８】
2004108710.tif 000010
【図９】
2004108710.tif 000011